【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
光電変換手段を含む画素が複数配列されるとともに、前記複数配列された画素が、前記光電変換手段に光が入射する有効画素領域と、前記光電変換手段が遮光された遮光画素領域と、を有する撮像部と、
前記複数配列された画素の各列にそれぞれ接続された複数のアナログ−ディジタル変換手段と、
前記複数のアナログ−ディジタル変換手段の少なくとも１つから出力された前記遮光画素領域の出力信号と基準値との誤差量を補償するオフセット補償信号を出力するフィードバック制御部と、
前記複数のアナログ−ディジタル変換手段の各々の入力側に配され、前記有効画素領域の出力信号から前記オフセット補償信号を減算してオフセットを補償する複数のオフセット補償手段と、
を備えたことを特徴とする撮像装置。
【請求項２】
光電変換手段を含む画素が複数行に配列されるとともに、前記複数行に配列された画素が、前記光電変換手段に光が入射する有効画素領域と、前記有効画素領域における最初の読み出し行に先立って読み出され、前記光電変換手段が遮光された第１の遮光画素領域と、前記有効画素領域と共通の読み出し行に配置され、前記光電変換手段が遮光された第２の遮光画素領域と、を有する撮像部と、
前記複数行に配列された画素の各列にそれぞれ接続された複数のアナログ−ディジタル変換手段と、
前記複数のアナログ−ディジタル変換手段の少なくとも１つからの出力信号と基準値との誤差量を補償するオフセット補償信号を出力するフィードバック制御部と、
前記複数のアナログ−ディジタル変換手段の各々の入力側に配され、前記画素から読み出した撮像信号から前記オフセット補償信号を減算してオフセットを補償する複数のオフセット補償手段と、
を備え、
前記フィードバック制御部は、
前記第１の遮光画素領域の読み出し時には、前記複数のアナログ−ディジタル変換手段の少なくとも１つからの出力信号と前記基準値との誤差量を補償する第１のオフセット補償信号を出力し、
前記第２の遮光画素領域及び前記有効画素領域の読み出し時には、保持した前記第１の遮光画素領域の読み出し時の前記第１のオフセット補償信号と、前記複数のアナログ−ディジタル変換手段の少なくとも１つからの出力信号と前記基準値との誤差量を補償する第２のオフセット補償信号とを加算したオフセット補償信号を出力することを特徴とする撮像装置。
【請求項３】
光電変換手段を含む画素が複数行に配列されるとともに、前記複数行に配列された画素が、前記光電変換手段に光が入射する有効画素領域と、前記有効画素領域における最初の読み出し行に先立って読み出され、前記光電変換手段が遮光された第１の遮光画素領域と、前記有効画素領域と共通の読み出し行に配置され、前記光電変換手段が遮光された第２の遮光画素領域と、を有する撮像部と、
前記複数行に配列された画素の各列にそれぞれ接続された複数のアナログ−ディジタル変換手段と、
前記複数のアナログ−ディジタル変換手段の少なくとも１つからの出力信号と基準値との誤差量を補償するオフセット補償信号を出力するフィードバック制御部と、
前記複数のアナログ−ディジタル変換手段の各々の入力側に配され、前記画素から読み出した撮像信号から前記オフセット補償信号を減算してオフセットを補償する複数の第１のオフセット補償手段と、
前記複数のアナログ−ディジタル変換手段の出力側に配され、前記複数のアナログ−ディジタル変換手段の各々の出力信号から前記オフセット補償信号を減算してオフセットを補償する第２のオフセット補償手段と、
備え、
前記フィードバック制御部は、
前記第１の遮光画素領域の読み出し時には、前記複数のアナログ−ディジタル変換手段の少なくとも１つからの出力信号と前記基準値との誤差量を補償する第１のオフセット補償信号を前記複数の第１のオフセット補償手段の各々の入力に出力し、
前記第２の遮光画素領域及び前記有効画素領域の読み出し時には、保持した前記第１のオフセット補償信号を前記複数の第１のオフセット補償手段の各々の入力に出力するとともに、前記複数のアナログ−ディジタル変換手段の少なくとも１つからの出力信号と前記基準値との誤差量を補償する第２のオフセット補償信号を前記第２のオフセット補償手段の各々の入力に出力することを特徴とする撮像装置。
【請求項４】
請求項１乃至請求項３のいずれか１項に記載の撮像装置と、
前記撮像部に被写体像を結像するための光学系と、
を備えることを特徴とする撮像システム。
【手続補正２】
【補正対象書類名】明細書
【補正対象項目名】００１２
【補正方法】変更
【補正の内容】
【００１２】
本発明の第１の側面は、撮像装置に係り、光電変換手段を含む画素が複数配列されるとともに、前記複数配列された画素が、前記光電変換手段に光が入射する有効画素領域と、前記光電変換手段が遮光された遮光画素領域と、を有する撮像部と、前記複数配列された画素の各列にそれぞれ接続された複数のアナログ−ディジタル変換手段と、前記複数のアナログ−ディジタル変換手段の少なくとも１つから出力された前記遮光画素領域の出力信号と基準値との誤差量を補償するオフセット補償信号を出力するフィードバック制御部と、前記複数のアナログ−ディジタル変換手段の各々の入力側に配され、前記有効画素領域の出力信号から前記オフセット補償信号を減算してオフセットを補償する複数のオフセット補償手段と、を備えたことを特徴とする。
【手続補正３】
【補正対象書類名】明細書
【補正対象項目名】００１３
【補正方法】変更
【補正の内容】
【００１３】
本発明の第２の側面は、撮像装置に係り、光電変換手段を含む画素が複数行に配列されるとともに、前記複数行に配列された画素が、前記光電変換手段に光が入射する有効画素領域と、前記有効画素領域における最初の読み出し行に先立って読み出され、前記光電変換手段が遮光された第１の遮光画素領域と、前記有効画素領域と共通の読み出し行に配置され、前記光電変換手段が遮光された第２の遮光画素領域と、を有する撮像部と、前記複数行に配列された画素の各列にそれぞれ接続された複数のアナログ−ディジタル変換手段と、前記複数のアナログ−ディジタル変換手段の少なくとも１つからの出力信号と基準値との誤差量を補償するオフセット補償信号を出力するフィードバック制御部と、前記複数のアナログ−ディジタル変換手段の各々の入力側に配され、前記画素から読み出した撮像信号から前記オフセット補償信号を減算してオフセットを補償する複数のオフセット補償手段と、を備え、前記フィードバック制御部は、前記第１の遮光画素領域の読み出し時には、前記複数のアナログ−ディジタル変換手段の少なくとも１つからの出力信号と前記基準値との誤差量を補償する第１のオフセット補償信号を出力し、前記第２の遮光画素領域及び前記有効画素領域の読み出し時には、保持した前記第１の遮光画素領域の読み出し時の前記第１のオフセット補償信号と、前記複数のアナログ−ディジタル変換手段の少なくとも１つからの出力信号と前記基準値との誤差量を補償する第２のオフセット補償信号とを加算したオフセット補償信号を出力することを特徴とする。
【手続補正４】
【補正対象書類名】明細書
【補正対象項目名】００１４
【補正方法】変更
【補正の内容】
【００１４】
本発明の第３の側面は、撮像装置に係り、光電変換手段を含む画素が複数行に配列されるとともに、前記複数行に配列された画素が、前記光電変換手段に光が入射する有効画素領域と、前記有効画素領域における最初の読み出し行に先立って読み出され、前記光電変換手段が遮光された第１の遮光画素領域と、前記有効画素領域と共通の読み出し行に配置され、前記光電変換手段が遮光された第２の遮光画素領域と、を有する撮像部と、前記複数行に配列された画素の各列にそれぞれ接続された複数のアナログ−ディジタル変換手段と、前記複数のアナログ−ディジタル変換手段の少なくとも１つからの出力信号と基準値との誤差量を補償するオフセット補償信号を出力するフィードバック制御部と、前記複数のアナログ−ディジタル変換手段の各々の入力側に配され、前記画素から読み出した撮像信号から前記オフセット補償信号を減算してオフセットを補償する複数の第１のオフセット補償手段と、前記複数のアナログ−ディジタル変換手段の出力側に配され、前記複数のアナログ−ディジタル変換手段の各々の出力信号から前記オフセット補償信号を減算してオフセットを補償する第２のオフセット補償手段と、備え、前記フィードバック制御部は、前記第１の遮光画素領域の読み出し時には、前記複数のアナログ−ディジタル変換手段の少なくとも１つからの出力信号と前記基準値との誤差量を補償する第１のオフセット補償信号を前記複数の第１のオフセット補償手段の各々の入力に出力し、前記第２の遮光画素領域及び前記有効画素領域の読み出し時には、保持した前記第１のオフセット補償信号を前記複数の第１のオフセット補償手段の各々の入力に出力するとともに、前記複数のアナログ−ディジタル変換手段の少なくとも１つからの出力信号と前記基準値との誤差量を補償する第２のオフセット補償信号を前記第２のオフセット補償手段の各々の入力に出力することを特徴とする。
【手続補正５】
【補正対象書類名】明細書
【補正対象項目名】００１５
【補正方法】変更
【補正の内容】
【００１５】
本発明の第４の側面は、撮像システムに係り、上記の撮像装置と、前記撮像部に被写体像を結像するための光学系と、を備えることを特徴とする。